(57)【要約】【課題】  買い物の金額に応じてポイントサービスを行い、所定のポイント数に達したところである金額に換算したサービスを与えるようにしているポイントサービスシステムであって、顧客の購買意欲を促進して売上げを向上することが出来るポイントサービスシステムの提供。【解決手段】  定めた短い期間内に一定ポイント数に達した場合には、通常金額以上の金額に換算したサービスを提供する為に、ポイント数達成目標期日をレシートに表示する。【選択図】    図１
2005122250.tif 000002
【特許請求の範囲】
【請求項１】
買い物の金額に応じてポイントサービスを行い、所定のポイント数に達したところである金額に換算したサービスを与えるようにしているポイントサービスシステムにおいて、定めた期間内に上記ポイント数に達した場合には、通常金額以上の金額に換算したサービスを提供することを特徴とするポイントサービスシステム。
【請求項２】
買い物の金額に応じてポイントサービスを行い、所定のポイント数に達したところである金額に換算したサービスを与えるようにしているポイントサービスシステムにおいて、定めた期間内に上記ポイント数に達した場合には、通常金額以上の金額に換算したサービスを提供する為に、ポイント数達成目標期日をレシートに表示することを特徴とするポイントサービスシステム。
【請求項３】
買い物の金額に応じてポイントサービスを行い、所定のポイント数に達したところである金額に換算したサービスを与えるようにしているポイントサービスシステムにおいて、定めた期間内に上記ポイント数に達した場合には、通常金額以上の金額に換算したサービスを提供する為に、ポイント数達成目標期日をポイントカードに表示することを特徴とするポイントサービスシステム。
【請求項４】
買い物の金額に応じてサービスとして付与されるポイント数を記録する為のポイントカードにおいて、定めた期間内に一定ポイント数に達した場合には、通常金額以上の金額に換算したサービスを提供する為に、上記ポイント数達成目標期日を表示したことを特徴とするポイントカード。
【発明の詳細な説明】
【技術分野】
【０００１】
本発明は買い物を行うことで、金額に応じて付与されるポイントサービスシステム、及びポイントカードに関するものである。
【背景技術】
【０００２】
買い物をする際に、その金額に応じたポイントを加算し、該ポイントが一定以上になったところで、所定のサービスが受けられるようにするポイントサービスが普及している。従来では、購入金額に応じたスタンプを配ったサービスを行っていたが、該スタンプをシートに貼り付ける作業、又会計する度に所定の枚数のスタンプを数えて配る作業が必要となるなど面倒であったが、１枚のカードにサービスポイントを加算することで、非常に便利に成っている。
【０００３】
そして、カードに保存されているポイントは必要に応じて引き出してサービスを受けることが出来、従来のスタンプ使用による煩わしさはなく、しかも間違いも発生しない。更に、カード１枚である為に保管も容易である。
【０００４】
一般に１００円の買い物金額に応じて１ポイントが付与され、買い物度に同じポイントカードを使用することで、サービスポイントが加算される。所定のポイント数に達したところで商品券を付与する場合、また商品を購入する際にカードに貯まっているポイント数に応じた金額を差し引いて清算する場合など、そのサービス形態は色々ある。又、今日では各社が色々な機能を備えたカードを出してサービスの提供に努めている。例えば、特開２００３−５８９５５号に係る「キャッシュアウト機能と連動したポイントサービスシステム」もその１つである。
この「キャッシュアウト機能と連動したポイントサービスシステム」は、ＩＣカード型キャッシュカードを使用して行うポイントサービスシステムであって、ＩＣカード型キャッシュカードには、(１)電子マネー機能、(２)キャッシュアウト機能、(３)ポイント機能、(４)可搬記録媒体読み書き機能、の各機能が搭載されており、顧客がＩＣカード型キャッシュカードを使用して、電子マネーデータをキャッシュアウトして現金化する際に、顧客が希望するキャッシュアウト金額を店舗用端末から入力すると、キャッシュアウト金額がＩＣカード型キャッシュカードに送信され、当該入力金額に基づいてポイント機能により付加ポイントが演算されて、ＩＣカード型キャッシュカードのメモリーに記録されるように構成している。
【０００５】
このように、上記ＩＣカードは、電子マネー機能、キャッシュアウト機能、ポイント機能、可搬記録媒体読み書き機能を備えている為に、顧客に対しての利便性は非常に高い。しかし、該ＩＣカードには顧客の購買意欲を促す作用はなく、各店舗が最も必要とする売り上げの向上を図ることは出来ない。
【特許文献１】特開２００３−５８９５５号に係る「キャッシュアウト機能と連動したポイントサービスシステム」
【発明の開示】
【発明が解決しようとする課題】
【０００６】
このように、従来のポイントカードは顧客の利便性を重視したもので、商品の売り上げの向上を図ることは出来ない。本発明が解決しようとする課題はこの問題点であり、顧客の購買意欲を促して売り上げの向上を図ることが出来るポイントサービスシステム及びポイントカードを提供する。
【課題を解決するための手段】
【０００７】
本発明に係るポイントサービスシステムとは、顧客の購入金額に応じてポイントを付与し、これを加算することが出来るサービスシステムであり、必要なときに貯まっているポイントを使ってサービスを受けることが出来る。この点は、従来のポイントサービスと同じであるが、本発明は所定のポイント数を達成するに必要な期間を定め、短期間で達成することで特別なサービスを提供する。
【０００８】
従来であれば、所定のポイント数の達成期間は限定されないが、本発明では短期間で所定のポイント数に達することで受けるサービスを大きくしている。そして、それも達成期間を複数段階とすることでより短期間での達成を可能とし、購買意欲を駆り立てるシステムとして構成する。
【０００９】
ところで、ポイントカードには、何日で所定のポイント数に達することが分るように表示する。又ポイントカードに代わってレシートに何日で所定のポイント数に達することが分るように表示することが出来る。例えば、「○月○日までに５００ポイントを達成すれば、１０００円サービス」といった表示が行われる。
【発明の効果】
【００１０】
本発明に係るポイントカードは、単に購入金額に応じて付与した合計ポイントを記録するだけでなく、規定ポイント数の達成目標日を表示することが出来る。すなわち、上記期日までに規定ポイント数まで達成することで、通常以上の特別サービスを受けることが出来る旨を表示する。この事で、顧客の購買意欲を促進し、店舗の売り上げ向上を図ることが出来る。
【００１１】
規定ポイント数の達成目標日は上記ポイントカード表面に表示することで、買い物度に見ることが出来、又、レシートにも必要に応じて表示することで次回の買い物金額が自ずと多くなり、その分だけ売り上げを向上することが出来る。今日における消費者の購買意欲を促し、ひいては景気の回復を図る上で大きな効果が得られる。
【実施例】
【００１２】
図１は売上げレシート１を示す実施例である。売上げレシート１は、一種の領収書であり、購入した商品名、商品の金額、合計金額、預かり金額、及びお釣などが表示されている。そして、前回までのポイント数、今回の買い物に応じたポイント数、合計ポイント数も表示される。
【００１３】
ところで、該レシート１について具体的に説明すると、買い物日時は２００３年７月２９日(火)の１２時３４分である。そして、このときの買い物品は、「アサヒスーパードライ」が３９８０円、「キリン一番搾り」を３点購入して１１９４０円、「マイルドセブンスーパーライト」が２７０円で、合計１６１９０円となり、外税が７９６円である。従って、税込み金額は１６９８６円となる。
そこで、顧客は現金を１６０００円と、５００円の商品券、及び５００円の電子マネーで支払うことで、お釣は１４円となる。
【００１４】
ところで、ポイントは前回までに４８５ポイント貯まっている為に、今回の１６１９０円の買い物金額に対して１６２ポイント加算される。このポイントの内訳は、上記「マイルドセブンスーパーライト」の２７０円にはポイントは付かないが、「アサヒスーパードライ」３９８０円の購入に対して３ポイントが特別に加算されることで、１６２ポイントの加算となる。そこで、合計ポイントは６４７であるが、５００ポイントを電子マネーとして積み立てることにしたために、最終ポイント数は１４７となる。
【００１５】
一方、貯蓄されている電子マネーの状況は、前回までの蓄えが１２３４円あり、これに５００ポイント分の６００円が加算され、しかし電子マネーとして５００円を使っている為に最終電子マネーは１３３４円となる。
そして、本発明ではこのレシート１の下端部にポイント達成目標日を表示している。
(１)１０月７日に５００ポイント達成で８００円
(２)１０月１４日に５００ポイント達成で６００円
期間に関係なく５００ポイント達成するならば、５００円がサービスされて電子マネーとして蓄えられる。しかし、短期間で５００ポイントに達することで６００円のサービスが受けられ、更に短期間であれば８００円となる。本発明は、レシート１にこの点を表示することで、この期間を顧客に告知して購買意欲を積極的に促すことが出来る。
【００１６】
図２はポイントカード２を示している。このポイントカード２の表面には、レシート１の表示と同じく最終ポイント数１４７が表示され、又、
(１)１０月７日に５００ポイント達成で８００円
(２)１０月１４日に５００ポイント達成で６００円
が表示されている。レシート１は処分されるが、該ポイントカード２は常に持ち歩く為に、達成ポイントの目標期日が常に明らかとなり、購買が促進される。
【図面の簡単な説明】
【００１７】
【図１】レシート
【図２】ポイントカード
【図１】
2005122250.tif 000003
【図２】
2005122250.tif 000004